(57)【要約】【課題】簡単な構造で製造コストを低減し、再封防止効果、改ざん防止効果を高める。【解決手段】このラベルＬ１は、上層の樹脂フィルム１と、下層の樹脂フィルム２とからなり、上層の樹脂フィルム１と層間粘着剤１１との間の粘着力を下層の樹脂フィルム２と層間粘着剤１１との間の粘着力よりも大きくし、貼着用の粘着剤２１の粘性を層間粘着剤１１の粘性よりも強くした。【選択図】図１
2018004723.tif 000002
【特許請求の範囲】
【請求項１】
上層の樹脂フィルムと、
前記上層の樹脂フィルムの裏面に粘着剤を介して積層される下層の樹脂フィルムと、
前記下層の樹脂フィルムの裏面に塗布され、剥離シートにより保護される粘着剤と、
を備え、
前記上層の樹脂フィルムと前記上層の樹脂フィルム裏面の前記粘着剤との間の粘着力を前記下層の樹脂フィルムと前記上層の樹脂フィルム裏面の前記粘着剤との間の粘着力よりも大きくし、
前記下層の樹脂フィルム裏面の前記粘着剤の粘性を前記上層の樹脂フィルム裏面の前記粘着剤の粘性よりも強くした、
ことを特徴とする改ざん防止ラベル。
【請求項２】
上層の樹脂フィルムはＰＥＴ（ポリエチレンテレフタラート）又はＰＰ（ポリプロピレン）を含む弾性素材からなり、下層の樹脂フィルムは脆質素材からなる請求項１に記載の改ざん防止ラベル。
【請求項３】
上層、下層の樹脂フィルムは長さ方向又は幅方向所定の位置で２つに切り離し可能にミシン目が付けられる請求項１又は２に記載の改ざん防止ラベル。
【請求項４】
上層の樹脂フィルムはスリットが付けられる請求項１乃至３のいずれかに記載の改ざん防止ラベル。
【発明の詳細な説明】
【技術分野】
【０００１】
本発明は、包装用の箱や容器などの未開封の状態を保持するラベルに関し、特に、ラベルが不正に引き剥がされたときに、再封を防止し、また、ラベルが引き剥がされた痕跡を分かるようにして改ざんを防止するセキュリティラベルに関する。
【背景技術】
【０００２】
一般に、商品の販売店では、商品が収納された包装用の箱の蓋に箱本体に跨ってラベルが貼着され、箱が未開封の状態に保持されている。ところが、このラベルがラベル本体の裏面に粘着剤が付けられただけの簡素なものでは、ラベルを蓋や箱から容易に剥がすことができ、この剥がしたラベルをまた簡単に貼り戻すことができる。このため、箱が不正に開封され、商品が使用されたり抜き取られたりしても、箱を外から見ただけでは分からない。
そこで、従来より、箱からラベルが剥がされたときに、ラベルの再封を防止した再封防止ラベルやラベルが引き剥がされた痕跡を分かるようにした改ざん防止ラベルが提案されている。この種のラベルが特許文献１により開示されている。
この文献１のラベルは、接着剤層、易破壊層、剥離層、表面層が順次積層され、さらに接着剤層の表面の一部にこの接着剤層の接着力を低下させるための接着力低下層を、表面層の表面に印刷層をそれぞれ積層されてなり、剥離シート上に仮着される。そして、このラベルでは、接着力低下層部位の接着剤層の接着力をａとし、易破壊層を破壊するのに要する力をｂとし、易破壊層を剥離層から引き剥がすのに要する力をｃとし、接着力低下層部位以外の接着剤層の接着力をｄとして、次の式、
ａ＜ｃ、ｂ＜ｄ
を満足するように構成される。
このように、このラベルでは、易破壊層の一方主面に、その接着剤の接着力を低下させる接着力低下層を部分的に形成され、区分されて形成されることにより、このラベルが被貼着材に貼着された場合に、接着力が接着剤層と接着力低下層との間で異なり、表面層が引き剥がされたときに、易破壊層が破れて接着力低下層部分の易破壊層のみが被貼着材より剥がされる。すなわち、易破壊層がその他の部分と引き裂かれて分離し、再び元の状態に戻ることがないので、易破壊層が分離されたことが分かる。したがって、貼着されたラベルが剥離されたことが一目で分かる。
【先行技術文献】
【特許文献】
【０００３】
【特許文献１】特開昭６１−２２６７８３公報
【発明の概要】
【発明が解決しようとする課題】
【０００４】
しかしながら、上記従来のラベルでは、多層構造で、しかも、接着剤層の表面の一部にこの接着剤層の接着力を低下させる接着力低下層が積層されるため、構造が複雑であり、製造コストは増大せざるを得ない、という問題がある。
【０００５】
本発明は、このような従来の問題を解決するもので、この種のセキュリティラベルにおいて、簡単な構造で、製造コストを大幅に低減し、再封防止効果、改ざん防止効果を高めること、しかも、取り扱いを容易にし、開封を簡単にすること、を目的とする。
【課題を解決するための手段】
【０００６】
上記目的を達成するために、本発明のセキュリティラベルは、
上層の樹脂フィルムと、
前記上層の樹脂フィルムの裏面に粘着剤を介して積層される下層の樹脂フィルムと、
前記下層の樹脂フィルムの裏面に塗布され、剥離シートにより保護される粘着剤と、
を備え、
前記上層の樹脂フィルムと前記上層の樹脂フィルム裏面の前記粘着剤との間の粘着力を前記下層の樹脂フィルムと前記上層の樹脂フィルム裏面の前記粘着剤との間の粘着力よりも大きくし、
前記下層の樹脂フィルム裏面の前記粘着剤の粘性を前記上層の樹脂フィルム裏面の前記粘着剤の粘性よりも強くした、
ことを要旨とする。
この場合、上層の樹脂フィルムはＰＥＴ（ポリエチレンテレフタラート）又はＰＰ（ポリプロピレン）を含む弾性素材からなり、下層の樹脂フィルムは脆質素材からなることが好ましい。
この場合、上層、下層の樹脂フィルムは長さ方向又は幅方向所定の位置で２つに切り離し可能にミシン目が付けられることが好ましい。
この場合、上層の樹脂フィルムはスリットが付けられることが好ましい。
【発明の効果】
【０００７】
本発明のセキュリティラベルでは、上下層の樹脂フィルムにより２層構造とし、上層の樹脂フィルムと上層の樹脂フィルム裏面の粘着剤との間の粘着力を下層の樹脂フィルムと上層の樹脂フィルム裏面の粘着剤との間の粘着力よりも大きくし、下層の樹脂フィルム裏面の粘着剤の粘性を上層の樹脂フィルム裏面の粘着剤の粘性よりも強くしたので、ラベルの使用に当たり、このラベルを、下層の樹脂フィルムから剥離シートを剥がして、下層の樹脂フィルム裏面の粘着剤で箱、容器などの被着体に貼り付けると、このラベルを被着体から不正に（再び貼り戻すことを目的としてきれいに）引き剥そうとしても、上層の樹脂フィルムが下層の樹脂フィルムから上下層の樹脂フィルム間の粘着剤とともに剥離されて、下層の樹脂フィルムのみが被着体に残され、上層の樹脂フィルムを下層の樹脂フィルムに貼り戻すことができなくなる。
したがって、このラベルによれば、上下２層の樹脂フィルムにより、簡単な構造で、製造コストを大幅に低減することができ、上層の樹脂フィルムと上層の樹脂フィルム裏面の粘着剤との間の粘着力を下層の樹脂フィルムと上層の樹脂フィルム裏面の粘着剤との間の粘着力よりも大きくし、下層の樹脂フィルム裏面の粘着剤の粘性を上層の樹脂フィルム裏面の粘着剤の粘性よりも強くして、このラベルの被着体からの引き剥がしに対して、上層の樹脂フィルムが下層の樹脂フィルムから上下層の樹脂フィルム間の粘着剤とともに剥離されて、下層の樹脂フィルムのみが被着体に残されるようにしたので、簡単な構造でありながら、再封防止の効果、改ざん防止の効果を高めることができる。しかも、ラベルの使用に当たり、このラベルを、下層フィルムから剥離シートを剥がして、下層フィルム裏面の粘着剤で箱、容器を含む被着体に貼り付けるだけなので、取り扱いは極めて容易である。
また、このラベルの上下層の樹脂フィルムに長さ方向又は幅方向所定の位置で２つに切り離し可能にミシン目を付けておけば、このミシン目を箱や容器の開封位置に対応させることにより、このラベルを箱や容器の開封位置で簡単に切断することができ、箱や容器を容易に開封することができる。
さらに、上層の樹脂フィルムにスリットを付けておくことにより、上層の樹脂フィルムを下層の樹脂フィルムから引き剥がしたときに、上層の樹脂フィルムが破壊されやすくなり、再封防止をより強化することができる。
【図面の簡単な説明】
【０００８】
【図１】本発明の第１の実施の形態におけるセキュリティラベルの全体構成を示す図（（ａ）は拡大側面断面図（ｂ）は拡大平面図）
【図２】本発明の第２の実施の形態におけるセキュリティラベルの全体構成を示す図（拡大平面図）
【図３】本発明の第３の実施の形態におけるセキュリティラベルの全体構成を示す図（拡大平面図）
【図４】本発明の第１の実施の形態におけるセキュリティラベルの使用例を示す図（（ａ）は同ラベルを箱に貼り付けた状態を示す図（ｂ）は同ラベルを箱から剥がし取る状態を示す図（ｃ）は同ラベルの箱に残された下層の樹脂フィルムをさらに剥がし取ろうとする状態を示す図（ｄ）は同ラベル（の上層の樹脂フィルム）を箱から剥がし取った後の状態を示す図）
【発明を実施するための形態】
【０００９】
次に、この発明を実施するための形態について図を用いて説明する。
図１に第１の実施の形態を示している。
図１に示すように、この改ざん防止ラベルＬ１（以下、単にラベルＬ１と称する場合がある。）は、上層の樹脂フィルム１と、上層の樹脂フィルム１の裏面に粘着剤１１を介して積層される下層の樹脂フィルム２と、下層の樹脂フィルム２の裏面に塗布される粘着剤２１と、下層の樹脂フィルム２の裏面に貼付されて、粘着剤２１を保護する剥離シート３とを備えて構成される。
そして、このラベルＬ１では、特に、上層の樹脂フィルム１裏面の粘着剤１１（以下、層間粘着剤１１という。）と上層の樹脂フィルム１との間の粘着力が層間粘着剤１１と下層の樹脂フィルム２との間の粘着力よりも大きく、下層の樹脂フィルム２裏面の粘着剤２１（以下、貼着用の粘着剤２１という。）の粘性が層間粘着剤１１の粘性よりも強くなっている。
【００１０】
このラベルＬ１は、上層の樹脂フィルム１がＰＥＴ（ポリエチレンテレフタラート）又はＰＰ（ポリプロピレン）を含む弾性素材（コシのある素材）からなる。この場合、上層の樹脂フィルム１はＰＥＴ樹脂により短冊状の小片に形成される。
下層の樹脂フィルム２は脆質素材からなる。この場合、下層の樹脂フィルム２は、脆質素材により、上層の樹脂フィルム１と同様に、短冊状の小片に形成される。また、この下層の樹脂フィルム２には、印刷により、文字、模様、色（例えば、スミベタ、オレンジベタ、青ベタ、緑ベタ、黄色ベタなど）などが付けられる（下層の樹脂フィルム２の表面に、インキ４のような、部分的又は全面にインキ層が形成される）。文字、模様、色が選択的に組み合わせられても勿論かまわない。
層間粘着剤１１、貼着用の粘着剤２１には、この種の樹脂ラベルに一般に使用されるアクリル系の強粘性の粘着剤が用いられる。このアクリル系の粘着剤は、ＰＳ樹脂のフィルムに比べてＰＥＴ樹脂のフィルムの方が粘着性（粘着力）がよく、したがって、上層の樹脂フィルム１と層間粘着剤１１との間の粘着力が下層の樹脂フィルム２と層間粘着剤１１との間の粘着力よりも大きくなる。
また、この場合、層間粘着剤１１の粘性と貼着用粘着剤２１の粘性とを異なるものとし、貼着用粘着剤２１の粘性（粘着力）を層間粘着剤１１の粘性（粘着力）より強くしている。
【００１１】
このようにしてラベルＬ１は、上から順に、上層の樹脂フィルム１、層間粘着剤１１、下層の樹脂フィルム２、貼着用の粘着剤２１、剥離シート３となるように貼り合わされて形成される。
そして、ラベルＬ１の使用に際し、下層の樹脂フィルム２から剥離シート３が剥がされて、下層の樹脂フィルム２裏面の貼着用の粘着剤２１で、箱、容器を含む各種の被着体に貼り付けられ、再封防止、改ざん防止の用に供せられる。
【００１２】
図４にこのラベルＬ１の使用例を示している。
この使用例では、図４（ａ）に示すように、ラベルＬ１が、箱Ｂの蓋Ｂ１の正面側中央部と箱本体Ｂ１０の正面上部中央との間に跨って貼り付けられて、箱Ｂの蓋Ｂ１が封止され、箱Ｂの未開封状態が保持されている。
そして、図４（ｂ）に示すように、このラベルＬ１を箱Ｂから不正に（再び貼り戻すことを目的としてきれいに）引き剥そうとすると、このラベルＬ１は、貼着用の粘着剤２１の粘性が層間粘着剤１１の粘性よりも強いので、下層の樹脂フィルム２は箱Ｂに強固に接着されたままで、上層の樹脂フィルム１が変形しながら、下層の樹脂フィルム２から徐々に剥がされていく。そして、上層の樹脂フィルム１と層間粘着剤１１との間の粘着力が下層の樹脂フィルム２と層間粘着剤１１との間の粘着力よりも大きいため、層間粘着剤１１が上層の樹脂フィルム１に追従して下層の樹脂フィルム２から剥離され、その結果、上層の樹脂フィルム１が下層の樹脂フィルム２から層間粘着剤１１とともに、下層の樹脂フィルム２から剥離され、図４（ｄ）に示すように、下層の樹脂フィルム２のみが箱Ｂに残される。このようにして上層の樹脂フィルム１が一度下層の樹脂フィルム２から剥離されると、上層の樹脂フィルム１はゆがみ、また、層間粘着剤１１は上層の樹脂フィルム１の裏面に追従して下層の樹脂フィルム２から引き剥がされるので、初期の粘着力は劣化し、上層の樹脂フィルム１を下層の樹脂フィルム２に元通りに貼り戻すことはできない。なお、このラベＬルの引き剥がしを途中で止めた場合でも、引き剥がされた部分が上記と同様となる。さらに、図４（ｃ）に示すように、箱Ｂに残された下層の樹脂フィルム２までをも引き剥がそうとしても、下層の樹脂フィルム２は脆質素材のため、千切れ千切れ（ボロボロ）に剥がれていくばかりで、きれいに剥がし取ることができない。
以上により、ラベルＬ１の再封は防止され、ラベルＬ１が引き剥がされた痕跡が明確に残される。
また、箱Ｂを正当な目的で開封する場合も、同様で、図４（ｄ）に示すように、ラベルＬ１を箱Ｂから引き剥すと、ラベルＬ１は、上層の樹脂フィルム１が層間粘着剤１１とともに下層の樹脂フィルム２から剥離され、下層の樹脂フィルム２のみが箱Ｂに残される。箱Ｂに下層の樹脂フィルム２が残されることで、この樹脂フィルム２で裏面の貼着用の粘着剤２１がカバーされて箱Ｂがべたつくことがないどころか、下層の樹脂フィルム２の表面は層間粘着剤１１が剥離されてサラサラの状態にあり、箱Ｂを利用する場合に好適である。
【００１３】
以上説明したように、このラベルＬ１によれば、上下２層の樹脂フィルム１、２により、簡単な構造で、製造コストを大幅に低減することができ、上層の樹脂フィルム１と層間粘着剤１１との間の粘着力を下層の樹脂フィルム２と層間粘着剤１１との間の粘着力よりも大きくし、貼着用の粘着剤２１の粘性（粘着力）を層間粘着剤１１の粘性（粘着力）よりも強くして、このラベルＬ１の被着体（箱や容器など）からの引き剥がしに対して、上層の樹脂フィルム１を下層の樹脂フィルム２から層間粘着剤１１とともに剥離して、下層の樹脂フィルム２のみを被着体に残すようにしたので、簡単な構造でありながら、再封防止の効果、改ざん防止の効果を高めることができる。しかも、ラベルＬ１の使用に当たり、このラベルＬ１を、下層の樹脂フィルム２から剥離シート３を剥がして、下層の樹脂フィルム２裏面の貼着用の粘着剤２１で被着体に貼り付けるだけなので、取り扱いが極めて容易である。
【００１４】
図２に第２の実施の形態を示している。
このラベルＬ２では、上層、下層の樹脂フィルム１、２は長さ方向又は幅方向所定の位置で２つに切り離し可能にミシン目５が付けられる。
この場合、ラベルＬ２は、全体が第１の実施の形態と共通の構成を備え、上下層の各樹脂フィルム１、２に長さ方向中間位置に幅方向に向けてミシン目５が付けられる。
このようにしても、第１の実施の形態と同様の作用効果を得ることができ、さらに、このラベルＬ２では、ミシン目５と箱や容器の開封位置とを対応させて、例えば、箱の場合、ミシン目５を蓋の正面側縁部と箱本体の正面上縁部との間に対応させて、貼り付けることにより、このラベルＬを箱や容器の開封位置でミシン目５を使って簡単に切断することができ、箱や容器を容易に開封することができる。
【００１５】
図３に第３の実施の形態を示している。
このラベルＬ３では、上層の樹脂フィルム１にスリット（隠し刃）６が付けられる。
この場合、ラベルＬ３は、全体が第１の実施の形態と共通の構成を備え、上層の樹脂フィルム１に幅方向に並列に複数のスリット６が長さ方向に向けて形成される。
このようにしても、第１の実施の形態と同様の作用効果を得ることができ、さらに、このラベルＬ３では、上層の樹脂フィルム１にスリット６が入っているので、上層の樹脂フィルム１を下層の樹脂フィルム２から引き剥がしたときに、上層の樹脂フィルム１が破壊されやすくなり、再封防止をより強化することができる。
【００１６】
なお、上記各実施の形態では、ラベルＬ１、Ｌ２、Ｌ３の剥がれ方を粘着剤１１、２１の粘着力でコントロールしたが、下層の樹脂フィルム２にベタ印刷を施す場合に、このベタ印刷を用いて、ラベルＬ１、Ｌ２、Ｌ３の剥がれ方に変化を付けることが可能である。例えば、スミベタのラベルとオレンジベタのラベルとではラベルの剥がれ方が異なる。これは、インキの種類によって、下層の樹脂フィルム２上での密着力が多少異なるためで、スミベタのラベルの場合、スミのインキ層は箱（箱に残された下層の樹脂フィルム２）に残るが、オレンジベタのラベルは、オレンジのインキ層が下層の樹脂フィルム２から剥がされた上層の樹脂フィルム１の裏面に付着する。もっとも、これはラベルＬ１、Ｌ２、Ｌ３の剥がし方にもより、ゆっくりと剥がすのと早く剥がすのとでは、インキ層の剥がれ方が変わり、インキ層が剥がれたり剥がれなかったりする。このようなインキ層の剥がれ方の違いでも、改ざん防止としては効果がある。
また、上記各実施の形態では、ラベルＬ１、Ｌ２、Ｌ３の形状を短冊状の小片としたが、このラベルＬ１、Ｌ２、Ｌ３の形状は、種々に変更可能であり、例えば、バーベル型、ひょうたん型、丸型、小判型、ハート型、帯型などにすることができ、意匠的なデザインとすることもできる。
さらに、上記第３の実施の形態では、上層の樹脂フィルム１に複数のスリット６を幅方向に並列に長さ方向に向けて形成したが、スリット６は１本でもよく、また、スリット６の切り込み方向は上層の樹脂フィルム１の幅方向でもよく、長さ方向又は幅方向に対して斜めの方向でもよい。
【符号の説明】
【００１７】
Ｌ１、Ｌ２、Ｌ３  セキュリティラベル
１  上層の樹脂フィルム
１１  粘着剤
２  下層の樹脂フィルム
２１  粘着剤
３  剥離シート
４  インキ（印刷）
５  ミシン目
６  スリット（隠し刃）
【図１】
2018004723.tif 000003
【図２】
2018004723.tif 000004
【図３】
2018004723.tif 000005
【図４】
2018004723.tif 000006